【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数種類の図柄が施され、回転駆動される複数のリールと、
前記複数のリールそれぞれに対応して設けられ、回転中の前記複数のリールを個別に停止させるために操作される停止操作手段と、
抽選手段と、
前記抽選手段による抽選の結果および前記停止操作手段に対する操作の結果に基づいて前記複数のリールを停止させる制御を含む、前記複数のリールに関する制御を実行するリール制御手段と、
報知手段と、
前記報知手段を制御する報知制御手段とを備え、
予め定められた視認可能領域において前記複数のリールそれぞれに施された図柄が視認可能な遊技台であって、
前記複数のリールは、
一または複数のリールで構成される所定のリールを少なくとも含んで構成されたものであり、
前記リール制御手段は、
前記抽選手段による抽選の結果が所定の結果であった場合には、前記所定のリールに施された図柄によって構成される図柄態様である第一の図柄態様を、前記視認可能領域の中で前記複数のリールそれぞれに対して図柄一つ分の領域を定めた第一の停止領域に停止させる制御を実行可能に構成され、
前記所定のリールのうちの少なくとも一のリールを回転させることで、前記所定のリールの停止態様を切換える演出回転制御を実行可能に構成され、
前記演出回転制御として、前記第一の図柄態様が前記第一の停止領域に停止された第一の停止態様から、前記第一の図柄態様と同一または異なる第二の図柄態様が前記第一の停止領域と同一または異なる第二の停止領域に停止された第二の停止態様へ切り換える制御を実行し、
所定の許容条件が充足されている場合であって、前記所定のリールが前記第一の停止態様で停止されていない場合には、前記演出回転制御を実行せず、
前記所定の許容条件が充足されている場合であって、前記所定のリールが前記第一の停止態様で停止されている場合には、前記演出回転制御を実行するものであり、
前記報知制御手段は、
前記抽選手段による抽選の結果が前記所定の結果であった場合のうちの少なくとも一部の場合において、前記所定のリールを前記第一の停止態様で停止させるための操作条件のうちの少なくとも一部の操作条件を報知させるように前記報知手段を制御するものであることを特徴とする遊技台。
【手続補正２】
【補正対象書類名】明細書
【補正対象項目名】０００８
【補正方法】変更
【補正の内容】
【０００８】
上記課題を解決するため、本発明の遊技台は、
複数種類の図柄が施され、回転駆動される複数のリールと、
前記複数のリールそれぞれに対応して設けられ、回転中の前記複数のリールを個別に停止させるために操作される停止操作手段と、
抽選手段と、
前記抽選手段による抽選の結果および前記停止操作手段に対する操作の結果に基づいて前記複数のリールを停止させる制御を含む、前記複数のリールに関する制御を実行するリール制御手段と、
報知手段と、
前記報知手段を制御する報知制御手段とを備え、
予め定められた視認可能領域において前記複数のリールそれぞれに施された図柄が視認可能な遊技台であって、
前記複数のリールは、
一または複数のリールで構成される所定のリールを少なくとも含んで構成されたものであり、
前記リール制御手段は、
前記抽選手段による抽選の結果が所定の結果であった場合には、前記所定のリールに施された図柄によって構成される図柄態様である第一の図柄態様を、前記視認可能領域の中で前記複数のリールそれぞれに対して図柄一つ分の領域を定めた第一の停止領域に停止させる制御を実行可能に構成され、
前記所定のリールのうちの少なくとも一のリールを回転させることで、前記所定のリールの停止態様を切換える演出回転制御を実行可能に構成され、
前記演出回転制御として、前記第一の図柄態様が前記第一の停止領域に停止された第一の停止態様から、前記第一の図柄態様と同一または異なる第二の図柄態様が前記第一の停止領域と同一または異なる第二の停止領域に停止された第二の停止態様へ切り換える制御を実行し、
所定の許容条件が充足されている場合であって、前記所定のリールが前記第一の停止態様で停止されていない場合には、前記演出回転制御を実行せず、
前記所定の許容条件が充足されている場合であって、前記所定のリールが前記第一の停止態様で停止されている場合には、前記演出回転制御を実行するものであり、
前記報知制御手段は、
前記抽選手段による抽選の結果が前記所定の結果であった場合のうちの少なくとも一部の場合において、前記所定のリールを前記第一の停止態様で停止させるための操作条件のうちの少なくとも一部の操作条件を報知させるように前記報知手段を制御するものであることを特徴とする。
また、
上記課題を解決するため、本発明の第１の遊技台は、
複数種類の図柄が施され、回転駆動される複数のリールと、
上記リールそれぞれに対応して設けられ、回転中の上記リールを個別に停止させる停止操作手段と、
複数種類の抽選結果から一の抽選結果を抽選により導出する抽選手段と、
上記抽選手段により導出された抽選結果と上記停止操作手段の操作結果に基づいて、最大引き込み範囲内で上記リールを停止させる制御を含む上記リールの回転に関する制御を実行する回転制御手段とを備え、
上記リールそれぞれに対して上記最大引き込み範囲内の所定範囲で構成される予め定められた視認可能領域において上記リールそれぞれに施された図柄が視認可能な遊技台であって、
上記複数のリールが、
１または複数種類の図柄によって構成される第１図柄態様を構成する第１構成図柄を含む複数種類の図柄が施された１または複数の演出対象リールを含むものであり、
上記抽選手段が、
上記視認可能領域内で上記演出対象リール一つに対して図柄一つ分の領域を定めた第１停止領域に上記第１図柄態様を停止させることを許容する第１の抽選結果を含む複数種類の抽選結果から一の抽選結果を抽選により導出するものであり、
上記回転制御手段が、
上記抽選手段により上記第１の抽選結果が導出され、かつ上記演出対象リールに対応する上記停止操作手段が操作されたときに、停止対象となったその演出対象リールに施された上記第１構成図柄が上記第１停止領域から最大引き込み範囲内の領域にある場合には、その第１構成図柄を上記第１停止領域に停止させる制御を実行し、
上記抽選手段により上記第１の抽選結果が導出され、かつ上記演出対象リールに対応する上記停止操作手段が操作されたときに、停止対象となったその演出対象リールに施された上記第１構成図柄が上記第１停止領域から最大引き込み範囲内の領域よりも外にある場合には、その第１構成図柄を上記第１停止領域とは異なる領域に停止させる制御を実行し、
上記抽選手段により上記第１の抽選結果が導出され、上記第１図柄態様が上記第１停止領域に停止した状態である第１停止態様になった場合には、上記演出対象リールが全て停止された以降に成立する演出開始条件が成立したことに基づいて、上記演出対象リールのうち少なくとも１つのリールを予め定められた回転量だけ回転させる演出回転制御を実行し、上記抽選手段により上記第１の抽選結果が導出され、その第１停止態様とは異なる状態になった場合には、その演出回転制御を実行しないものであり、
さらに上記回転制御手段は、
上記第１停止態様から、上記第１図柄態様と同一又は異なる図柄態様である第２図柄態様が、上記視認可能領域内で上記演出対象リール一つに対して図柄一つ分の領域を定めた領域であって上記第１停止領域とは異なる第２停止領域に停止した状態である第２停止態様にするために必要な回転量を予め定められた回転量として上記演出回転制御を実行するものであることを特徴とする。